(57)【要約】【課題】スクリーンの遮光面積を十分に確保する。【解決手段】本発明の遮光装置１０では、固定片６４、ストッパ片６６、支持片６８等が形成された第二ブラケット２６は、ロアアーム３８を回動可能に支持する第一ブラケット２４に対してロアアーム３８の回動中心の軸線方向一方側に配置されている。そして、これにより、第一ブラケット２４がベース部材１２のより長手方向端側に配置することが可能となっており、第一ブラケット２４は、ベース部材１２の長手方向端部に設けられている。このため、ロアアーム３８の回動中心が遮光装置１０のより外側に位置するので、スクリーン２２が展開されたときに、スクリーン２２及びロアアーム３８がＣピラー１２１により近づくように構成することができる。これにより、スクリーン２２の遮光面積を十分に確保できる。【選択図】図１
2010179699.tif 000002
【特許請求の範囲】
【請求項１】
長手状に形成されたベース部材と、
前記ベース部材の長手方向中央側に設けられた駆動モータと、
前記駆動モータと駆動力伝達機構を介して接続され、前記駆動モータの駆動力を受けて前記ベース部材に対して回動される回動アームと、
前記回動アームと接続され、前記回動アームの回動に伴って巻取機構から展開されるシート状のスクリーンと、
前記ベース部材の長手方向端部に設けられ、前記回動アームを回動可能に支持する第一ブラケットと、
前記第一ブラケットに対して前記回動アームの回動中心の軸線方向一方側に配置されて前記第一ブラケットに固定されると共に、車体への連結部、前記回動アームの回動を規制する規制部、及び、前記巻取機構を支持する支持部の少なくともいずれかが形成された第二ブラケットと、
を備えた遮光装置。
【請求項２】
前記第一ブラケット及び前記第二ブラケットには、互いを固定するための固定部が前記回動アームの回動中心と同軸状に設けられている、
請求項１に記載の遮光装置。
【請求項３】
前記固定部は、
前記第一ブラケットに形成された固定孔と、
前記第二ブラケットに形成された挿通孔と、
を有し、
前記挿通孔を通じて前記固定孔と固定されて、前記第一ブラケット及び第二ブラケットを固定する固定具を備えた、
請求項２に記載の遮光装置。
【請求項４】
前記回動アームの基端側には、孔部が形成され、
前記第一ブラケットには、前記孔部に回動可能に挿入された回動支持部が設けられている、
請求項１〜請求項３のいずれか一項に記載の遮光装置。
【請求項５】
前記回動アームは、前記第一ブラケットと前記第二ブラケットとの間に挟持されている、
請求項１〜請求項４のいずれか一項に記載の遮光装置。
【発明の詳細な説明】
【技術分野】
【０００１】
本発明は、遮光装置に関する。
【背景技術】
【０００２】
従来、遮光装置としては、例えば、次のものが知られている。すなわち、特許文献１には、長手状の主枠と、この主枠に回動可能に支持された一対の縦枠回動アームと、この一対の縦枠回動アームの回動に伴って展開されるシート状のスクリーンとを備えた電動サンシェードが開示されている。
【先行技術文献】
【特許文献】
【０００３】
【特許文献１】特開平１１−６２４４２号公報
【特許文献２】特開２００８−２３０３０８号公報
【発明の概要】
【発明が解決しようとする課題】
【０００４】
しかしながら、上記特許文献１に記載の電動サンシェードでは、縦枠回動アームが主枠の長手方向端部よりも中央寄りの位置に設けられている。従って、スクリーンが展開されたときには、スクリーン及び縦枠回動アームとＣピラーとが車両幅方向に離れてしまい、スクリーンの遮光面積が十分に確保されていなかった。
【０００５】
本発明は、上記課題に鑑みてなされたものであって、スクリーンの遮光面積を十分に確保できる遮光装置を提供することを目的とする。
【課題を解決するための手段】
【０００６】
前記課題を解決するために、請求項１に記載の遮光装置は、長手状に形成されたベース部材と、前記ベース部材の長手方向中央側に設けられた駆動モータと、前記駆動モータと駆動力伝達機構を介して接続され、前記駆動モータの駆動力を受けて前記ベース部材に対して回動される回動アームと、前記回動アームと接続され、前記回動アームの回動に伴って巻取機構から展開されるシート状のスクリーンと、前記ベース部材の長手方向端部に設けられ、前記回動アームを回動可能に支持する第一ブラケットと、前記第一ブラケットに対して前記回動アームの回動中心の軸線方向一方側に配置されて前記第一ブラケットに固定されると共に、車体への連結部、前記回動アームの回動を規制する規制部、及び、前記巻取機構を支持する支持部の少なくともいずれかが形成された第二ブラケットと、を備えている。
【０００７】
請求項１に記載の遮光装置によれば、車体への連結部、回動アームの回動を規制する規制部、及び、巻取機構を支持する支持部の少なくともいずれかが形成された第二ブラケットは、回動アームを回動可能に支持する第一ブラケットに対して回動アームの回動中心の軸線方向一方側に配置されている。そして、これにより、第一ブラケットがベース部材のより長手方向端側に配置することが可能となっており、第一ブラケットは、ベース部材の長手方向端部に設けられている。
【０００８】
このため、例えば、回動アームが第二ブラケットに対するベース部材の長手方向中央側で回動可能に支持される構成に比して、回動アームの回動中心が遮光装置のより外側に位置する。従って、スクリーンが展開されたときに、スクリーン及び回動アームが窓の縦枠（例えば、Ｃピラー）により近づくように構成することができる。これにより、スクリーンの遮光面積を十分に確保できる。
【０００９】
請求項２に記載の遮光装置は、請求項１に記載の遮光装置において、前記第一ブラケット及び前記第二ブラケットに、互いを固定するための固定部が前記回動アームの回動中心と同軸状に設けられた構成とされている。
【００１０】
請求項２に記載の遮光装置によれば、第一ブラケットと第二ブラケットとを互いに固定するための固定部が回動アームの回動中心と同軸状に設けられている。従って、第一ブラケット及び第二ブラケットを小型化することができる。
【００１１】
請求項３に記載の遮光装置は、請求項２に記載の遮光装置において、前記固定部が、前記第一ブラケットに形成された固定孔と、前記第二ブラケットに形成された挿通孔と、を有し、前記挿通孔を通じて前記固定孔と固定されて、前記第一ブラケット及び第二ブラケットを固定する固定具をさらに備えている。
【００１２】
請求項３に記載の遮光装置によれば、固定具が挿通孔を通じて固定孔と固定するだけの簡単な作業により、第一ブラケット及び第二ブラケットを固定することができる。
【００１３】
請求項４に記載の遮光装置は、請求項１〜請求項３のいずれか一項に記載の遮光装置において、前記回動アームの基端側に、孔部が形成され、前記第一ブラケットに、前記孔部に回動可能に挿入された回動支持部が設けられた構成とされている。
【００１４】
請求項４に記載の遮光装置によれば、孔部と回動支持部とによる簡単な構成で、回動アームを回動可能とすることができる。
【００１５】
請求項５に記載の遮光装置は、請求項１〜請求項４のいずれか一項に記載の遮光装置において、前記回動アームが、前記第一ブラケットと前記第二ブラケットとの間に挟持された構成とされている。
【００１６】
請求項５に記載の遮光装置によれば、回動アームは、第一ブラケットと第二ブラケットとの間に挟持されている。従って、回動アームが回動中心の軸線方向にガタつくことを抑制することができる。
【図面の簡単な説明】
【００１７】
【図１】本発明の一実施形態に係る遮光装置の全体構成を示す図である。
【図２】本発明の一実施形態に係る遮光装置の要部拡大図である。
【図３】本発明の一実施形態に係る遮光装置の分解図である。
【図４】本発明の一実施形態におけるスクリーンを車両において展開させた状態を示す図である。
【図５】本発明の一実施形態に係る遮光装置の変形例を示す図である。
【図６】本発明の一実施形態に係る遮光装置の変形例を示す図である。
【図７】比較例に係る遮光装置の全体構成を示す図である。
【図８】比較例におけるスクリーンを車両において展開させた状態を示す図である。
【発明を実施するための形態】
【００１８】
はじめに、図１を参照しながら、本発明の一実施形態に係る遮光装置１０の概略を説明する。
【００１９】
本発明の一実施形態に係る遮光装置１０は、例えば、乗用自動車等の車両に備えられたリアガラスを遮光するためのものであり、ベース部材１２と、駆動モータ１４と、駆動力伝達機構１６と、一対のアーム１８と、巻取機構２０と、スクリーン２２と、一対の第一ブラケット２４と、一対の第二ブラケット２６とを主要な構成として備えている。
【００２０】
ベース部材１２は、長手状のパイプにより構成されており、駆動モータ１４は、ベース部材１２の長手方向中央部に固定されている。
【００２１】
駆動力伝達機構１６は、リンクレバー２８と、一対のリンクロッド３０と、一対のレバー３２とを有して構成されている。リンクレバー２８は、長手状に構成されており、その長手方向中央部は、駆動モータ１４の出力軸３４に一体回動可能に固定されている。
【００２２】
また、リンクレバー２８の回動端側は、リンクロッド３０の一端側と回動可能に連結されており、このリンクロッド３０の他端側は、レバー３２と回動可能に連結されている。さらに、レバー３２は、後述するロアアーム３８の基端側に一体に設けられている。
【００２３】
一対のアーム１８は、アッパアーム３６と、ロアアーム３８（回動アーム）とを有して構成されている。アッパアーム３６の基端側は、ロアアーム３８の先端側と中間ジョイント４０を介して回動可能に連結されており、アッパアーム３６の先端側は、後述するスクリーン支持部材４４の幅方向両側と回動可能に連結されている。また、ロアアーム３８の基端側は、後に詳述するように、第一ブラケット２４によって回動可能に支持されている。
【００２４】
巻取機構２０は、後に詳述するように、第二ブラケット２６に固定されており、支持軸４２や、この支持軸４２に回転可能に支持されてスクリーン２２を巻き取るための巻取部材４３や、この巻取部材４３を支持軸４２に対して回転方向に付勢するバネ（不図示）等を有して構成されている。
【００２５】
スクリーン２２は、遮光性を有する布材等により構成されており、シート状に形成されている。このスクリーン２２の基端側は、巻取部材４３に固定されており、スクリーン２２の展開側には、スクリーン支持部材４４が設けられている。スクリーン支持部材４４は、スクリーン２２の展開側の幅方向縁部２２Ａに沿って設けられており、このスクリーン２２を幅方向に広げた状態に支持している。
【００２６】
そして、この遮光装置１０では、駆動モータ１４が正転し、リンクレバー２８がＲ１方向に回動されると、レバー３２がＲ３方向に回動され、ロアアーム３８がＲ５方向に回動される。また、ロアアーム３８がＲ５方向に回動されると、アッパアーム３６がＲ７方向に回動されて、スクリーン２２が上側に引っ張られ、これにより、スクリーン２２が巻取機構２０から展開される。
【００２７】
また、このときには、巻取機構２０によってスクリーン２２が巻き取られる方向に引っ張られる。従って、スクリーン２２の弛みが防止されてスクリーン２２が展張された状態となる。さらに、レバー３２の先端側とベース部材１２との間には、アシストスプリング４５が設けられており、ロアアーム３８には、アシストスプリング４５によってＲ５方向へアシスト力が付与される。
【００２８】
一方、駆動モータ１４が反転し、リンクレバー２８がＲ２方向に回動されると、レバー３２がＲ４方向に回動され、ロアアーム３８がＲ６方向に回動される。また、ロアアーム３８がＲ６方向に回動されると、アッパアーム３６がＲ８方向に回動され、スクリーン２２が巻取機構２０に巻き取られる。
【００２９】
次に、図２，図３を参照しながら、本発明の一実施形態に係る遮光装置１０をより詳細に説明する。
【００３０】
なお、図３では、理解の容易のために、第一ブラケット２４に対する第二ブラケット２６の角度を、図２の組付状態での角度と異ならせて図示してある。
【００３１】
第一ブラケット２４は、本体部４６と、パイプ状の連結部４８とを有して構成されている。本体部４６には、ボス部５０が突出して形成されており、このボス部５０の先端側には、ロアアーム３８の回動中心の軸線方向一方側（Ｚ１側）を向く環状の支持面５２と、ロアアーム３８の基端側に形成された孔部５４に回動可能に挿入される回動支持部５６が形成されている。
【００３２】
また、このボス部５０には、回動支持部５６と同軸状にネジ孔５８（固定部の一部、固定孔）が形成されている。また、本体部４６には、ボス部５０を挟んだ両側に車体への固定部５９が設けられている。さらに、本体部４６には、複数の差込孔６０が形成されている。
【００３３】
なお、図１に示されるベース部材１２の長手方向他方側（Ｘ２側）に配置された他方の第一ブラケット２４は、図２，図３に示されるベース部材１２の長手方向一方側（Ｘ１側）に配置された一方の第一ブラケット２４と同様の構成とされており、ここではその詳細な説明を省略する。
【００３４】
第二ブラケット２６は、本体部６２と、不図示のパッケージトレイ（車体）に連結されて固定される固定片６４（連結部）と、スクリーン２２の展開時にレバー３２の回動を規制するストッパ片６６（規制部）と、巻取機構２０を支持するための支持片６８（支持部）と、後述するクッション材９８を取り付けるための取付片７０と、第一ブラケット２４との位置決めを行うための位置決め片７２とが形成されている。
【００３５】
また、本体部６２には、挿通孔７４（固定部の一部）が形成され、固定片６４には、固定孔７６が形成され、支持片６８には、孔部７７が形成されている。
【００３６】
なお、ベース部材１２の長手方向他方側（Ｘ２側）に配置された他方の第二ブラケット２６は、ベース部材１２の長手方向一方側（Ｘ１側）に配置された一方の第二ブラケット２６に対し、支持片６８の代わりに支持片７８を有している。この支持片７８には、スリット８０と、複数のネジ孔８２が形成されている。
【００３７】
そして、ベース部材１２、巻取機構２０、ロアアーム３８、第一ブラケット２４、第二ブラケット２６は、次の要領で組み付けられる。
【００３８】
すなわち、図３に示される連結部４８にベース部材１２を挿入し、この状態で連結部４８における周方向の複数箇所をかしめることにより、第一ブラケット２４をベース部材１２の長手方向端部に固定する。
【００３９】
また、回動支持部５６を孔部５４に回動可能に挿入すると共に、支持面５２でロアアーム３８を回動中心の軸線方向他方側（Ｚ２側）から支持する。さらに、レバー３２に形成された孔部８４とリンクロッド３０に形成された孔部８６とを整合させた状態で、この両方の孔部８４，８６にピン８８を挿入し、このピン８８の先端側をかしめることで、レバー３２とリンクロッド３０とを回動可能に連結する。また、アシストスプリング４５に形成されたフック９０をレバー３２に形成された孔部９２に挿入してこの孔部９２の周縁に引っ掛ける。
【００４０】
また、第二ブラケット２６をロアアーム３８に対する回動中心の軸線方向一方側（Ｚ１側）から第一ブラケット２４に近づけ、位置決め片７２を差込孔６０に挿入し、第一ブラケット２４と第二ブラケット２６との位置決めを行う。そして、ボルト９４（固定具）をスプリングワッシャ９６に挿入すると共に、このボルト９４を第二ブラケット２６に対する第一ブラケット２４と反対側から挿通孔７４、孔部５４を通じてネジ孔５８に螺入する。
【００４１】
これにより、第二ブラケット２６が第一ブラケット２４に対するロアアーム３８の回動中心の軸線方向一方側（Ｚ１側）に配置されて第一ブラケット２４に固定される。また、ロアアーム３８は、第一ブラケット２４と第二ブラケット２６との間に挟持される。
【００４２】
また、スクリーン２２が巻取状態とされたときにスクリーン支持部材４４（図１参照）と当接されるクッション材９８を取付片７０に固定する。さらに、支持軸４２の一方側４２Ａを孔部７７に挿入し、偏平部１０２をスリット８０に挿入する。
【００４３】
そして、外れ防止板１０４に形成された孔部１０６に支持軸４２の他方側４２Ｂを挿入すると共に、同じく外れ防止板１０４に形成された孔部１０８にネジ１１０を挿入し、このネジ１１０をネジ孔８２に螺入する。これにより、外れ防止板１０４が支持片７８に固定され、支持軸４２が一対の第二ブラケット２６に回動不能に支持される。
【００４４】
以上の要領により、ベース部材１２、巻取機構２０、ロアアーム３８、第一ブラケット２４、第二ブラケット２６は組み付けられる。なお、上記以外の順序で組み付けられても良いことは勿論である。
【００４５】
また、上述の外れ防止板１０４の代わりに、図５，図６に示される外れ防止板１１４が用いられても良い。この外れ防止板１１４は、フック１１６と複数の突起部１１８を有して構成されており、フック１１６が支持片７８と係合されると共に、突起部１１８が支持片７８に形成された孔部１２０に挿入されることによりワンタッチで支持片７８に組み付けられる。
【００４６】
次に、本発明の一実施形態の作用及び効果について説明する。
【００４７】
先ず、本発明の一実施形態の作用及び効果を明確にするために、比較例に係る遮光装置２１０について説明する。
【００４８】
図７に示される比較例に係る遮光装置２１０では、ベース部材２１２の長手方向両側に、パッケージトレイに固定される固定片２６４や、ロアアーム２３８やスクリーン支持部材２４４と当接されるストッパ片２６６を有するブラケット２２６がそれぞれ設けられている。このため、各ロアアーム２３８は、ベース部材２１２の長手方向端部よりも中央寄りの位置に設けられている。
【００４９】
従って、図８に示されるように、スクリーン２２２が展開されたときには、スクリーン２２２及びアーム２１８とＣピラー２２１とが車両幅方向に離れてしまい、スクリーン２２２の遮光面積を十分に確保できないという問題があった。
【００５０】
これに対し、本発明の一実施形態に係る遮光装置１０によれば、図２，図３に示されるように、固定片６４、ストッパ片６６、支持片６８等が形成された第二ブラケット２６は、ロアアーム３８を回動可能に支持する第一ブラケット２４に対してロアアーム３８の回動中心の軸線方向一方側（Ｚ１側）に配置されている。そして、これにより、第一ブラケット２４がベース部材１２のより長手方向端側に配置することが可能となっており、第一ブラケット２４は、ベース部材１２の長手方向端部に設けられている。
【００５１】
このため、上述の比較例に係る遮光装置２１０のように、ロアアーム２３８がブラケット２２６に対するベース部材２１２の長手方向中央側で回動可能に支持される構成に比して、図１に示されるように、ロアアーム３８の回動中心が遮光装置１０のより外側に位置する。従って、図４に示されるように、スクリーン２２が展開されたときに、スクリーン２２及びアーム１８がＣピラー１２１により近づくように構成することができる。
【００５２】
そして、本発明の一実施形態に係る遮光装置１０では、図４に示されるように、スクリーン２２が展開されたときに、スクリーン２２の縦縁及びロアアーム３８がハの字状となるように構成されている。これにより、スクリーン２２及びロアアーム３８とＣピラー１２１との隙間を小さくすることができ、スクリーン２２の遮光面積を十分に確保できる。
【００５３】
また、本発明の一実施形態に係る遮光装置１０によれば、第一ブラケット２４と第二ブラケット２６とを互いに固定するためのネジ孔５８及び挿通孔７４がロアアーム３８の回動中心（つまり、回動支持部５６）と同軸状に設けられている。従って、第一ブラケット２４及び第二ブラケット２６を小型化することができる。
【００５４】
また、本発明の一実施形態に係る遮光装置１０によれば、ボルト９４を挿通孔７４を通じてネジ孔５８に螺入するだけの簡単な作業により、第一ブラケット２４及び第二ブラケット２６を固定することができる。
【００５５】
また、本発明の一実施形態に係る遮光装置１０によれば、孔部５４と回動支持部５６とによる簡単な構成でロアアーム３８を回動可能とすることができる。
【００５６】
また、本発明の一実施形態に係る遮光装置１０によれば、ロアアーム３８は、第一ブラケット２４と第二ブラケット２６との間に挟持されている。従って、ロアアーム３８が回動中心の軸線方向にガタつくことを抑制することができる。
【００５７】
以上、本発明の一実施形態について説明したが、本発明は、上記に限定されるものでなく、その主旨を逸脱しない範囲内において種々変形して実施することが可能であることは勿論である。
【００５８】
例えば、上記実施形態では、ロアアーム３８が第一ブラケット２４と第二ブラケット２６との間に挟持されていたが、ロアアーム３８が回動中心の軸線方向にガタつくことを抑制できる場合には、ロアアーム３８が第二ブラケット２６に対する回動中心の軸線方向一方側（Ｚ１側）に設けられていても良い。
【００５９】
また、上記実施形態では、第一ブラケット２４及び第二ブラケット２６がボルト９４及びネジ孔５８により固定される構成とされていたが、かしめピン等の固定具によって固定される構成とされていても良い。
【００６０】
また、上記実施形態では、アッパアーム３６及びロアアーム３８からなるアーム１８によってスクリーン２２が展開及び巻取される構成とされていたが、ロアアーム３８のみによってスクリーン２２が展開及び巻取される構成とされていても良い。
【００６１】
また、上記実施形態において、固定片６４、ストッパ片６６、支持片６８は、第二ブラケット２６に形成されていたが、これらのいずれかと同等の機能を有する構造が第二ブラケット２６の代わりに第一ブラケット２４に形成されていても良い。
【符号の説明】
【００６２】
１０・・・遮光装置、１２・・・ベース部材、１４・・・駆動モータ、１６・・・駆動力伝達機構、２０・・・巻取機構、２２・・・スクリーン、２４・・・第一ブラケット、２６・・・第二ブラケット、３６・・・アッパアーム、３８・・・ロアアーム（回動アーム）、５４・・・孔部（回動アームの基端側に形成された孔部）、５６・・・回動支持部、５８・・・ネジ孔（固定部の一部、固定孔）、６４・・・固定片（車体への連結部）、６６・・・ストッパ片（規制部）、６８・・・支持片（支持部）、７４・・・挿通孔（固定部の一部）、９４・・・ボルト（固定具）
【図１】
2010179699.tif 000003
【図２】
2010179699.tif 000004
【図３】
2010179699.tif 000005
【図４】
2010179699.tif 000006
【図５】
2010179699.tif 000007
【図６】
2010179699.tif 000008
【図７】
2010179699.tif 000009
【図８】
2010179699.tif 000010